(57)【要約】【課題】給気用ダクトの給気口が床部又は壁下部に形成されていても、十分な換気効率を確保することができ、さらに家具配置の自由度を低減することのない住宅換気構造を提供すること。【解決手段】  本発明に係る住宅換気構造１０は、屋外より空気を吸入して住宅内へ室内換気用の空気を供給する空気供給装置１１と、空気供給装置１１に一端が連通されて空気供給装置１１より供給された空気を室内へ導き入れるための給気用ダクト１２と、給気用ダクト１２の他端に連通されて給気用ダクト１２を介して空気を室内へ給気する給気口１４とを備えている。給気口１４は、室内に設けられるドア１５の回動軸近傍の壁下部又は床面端部に形成されている。【選択図】  図１
2006002964.tif 000002
【特許請求の範囲】
【請求項１】
屋外から空気を吸入して住宅内へ室内換気用の空気を供給する空気供給装置と、
該空気供給装置に一端が連通されて前記空気供給装置より供給された前記空気を室内へ
導き入れるための給気用ダクトと、
前記給気用ダクトの他端に連通されて当該給気用ダクトを介して前記空気を前記室内へ
給気する給気口とを備え、
該給気口は、前記室内に設けられるドアの回動軸近傍の壁下部又は床面端部に形成され
ることを特徴とする住宅換気構造。
【請求項２】
前記室内ドアの上部に、前記給気口より前記室内に送出された空気を当該室内から室外
へ導き出すための通気部が形成されていることを特徴とする請求項１に記載の住宅換気構
造。
【請求項３】
前記空気供給装置に一端が連通されて前記室内に供給された前記空気を前記空気供給装
置へ循環させるための排気用ダクトと、
該排気用ダクトの他端に連通されて階段又は廊下より前記空気を排出する排気口とを備
え、
前記空気供給装置は、前記排気口より前記排気用ダクトを介して前記空気を吸入し、当
該吸入された空気と屋外から吸入された空気との熱交換を行うことを特徴とする請求項１
又は請求項２に記載の住宅換気構造。
【請求項４】
前記空気供給装置は、前記住宅の床下に設けられていることを特徴とする請求項１乃至
請求項３のいずれか１項に記載の住宅換気構造。
【発明の詳細な説明】
【技術分野】
【０００１】
本発明は、屋外から空気を吸入して屋内に供給する空気供給装置と、空気供給装置によ
り供給された空気を屋内に導き入れる給気用ダクトとを備えた住宅換気構造に関する。
【背景技術】
【０００２】
一般的な住宅の住宅換気構造として、床部又は壁下部に給気用ダクトのダクト開口を設
けたものが提案されている（例えば、特許文献１、特許文献２、特許文献３参照）。
【特許文献１】特開平６−３００３３１号公報
【特許文献２】特開２００２−１９４８２７号公報（第１図）
【特許文献３】特開２００２−９８３８０号公報（第１図）
【発明の開示】
【発明が解決しようとする課題】
【０００３】
しかしながら、上述したように床部又は壁下部にダクト開口を設けた住宅換気構造では
、室内上部における換気効果が低下したり、ダクト開口が床部又は壁下部にあるため、室
内に供給された空気の気流により居住者等に不快感を与えたりすることがあるという問題
があった。
【０００４】
さらに床部又は壁下部にダクト開口が形成されると、ダクト開口を塞ぐようにして家具
等を配置することができないので家具配置の自由度が制限されてしまうという問題が生じ
ていた。
【０００５】
本発明は上記問題に鑑みてなされたものであり、給気用ダクトの給気口が床部又は壁下
部に形成されていても、十分な換気効率を確保することができ、さらに家具配置の自由度
を低減することのない住宅換気構造を提供することを課題とする。
【課題を解決するための手段】
【０００６】
上記課題を解決するために、本発明に係る住宅換気構造は、屋外から空気を吸入して住
宅内へ室内換気用の空気を供給する空気供給装置と、該空気供給装置に一端が連通されて
前記空気供給装置より供給された前記空気を室内へ導き入れるための給気用ダクトと、前
記給気用ダクトの他端に連通されて当該給気用ダクトを介して前記空気を前記室内へ給気
する給気口とを備え、該給気口は、前記室内に設けられるドアの回動軸近傍の壁下部又は
床面端部に形成されることを特徴とする。
【０００７】
また、前記室内ドアの上部に、前記給気口より前記室内に送出された空気を当該室内か
ら室外へ導き出すための通気部が形成されていることが好ましい。
【０００８】
さらに、前記空気供給装置に一端が連通されて前記室内に供給された前記空気を前記空
気供給装置へ循環させるための排気用ダクトと、該排気用ダクトの他端に連通されて階段
又は廊下より前記空気を排出する排気口とを備え、前記空気供給装置が、前記排気口より
前記排気用ダクトを介して前記空気を吸入し、当該吸入された空気と屋外から吸入された
空気との熱交換を行う構成としてもよい。
【０００９】
また、前記空気供給装置は、前記住宅の床下に設けられていることが好ましい。
【発明の効果】
【００１０】
本発明に係る住宅換気構造によれば、ドアの回動軸近傍の壁下部又は床面端部に給気口
が形成されるので給気口の設置により家具等の配置の自由度を低減させることがない。ま
た、給気用ダクトを天井まで導く必要がないので、ダクトの長さを極めて短くすることが
でき、コストの低減を図り、メンテナンス性の向上を図ることが容易となる。
【００１１】
また、給気口がドアの回転軸近傍の壁下部又は床面端部に形成されるので、気流による
不快感を居住者に与えることを低減することが可能となる。
【００１２】
さらに、ドア上部に通気部が形成されているので、給気口より室内に送出された空気の
換気流路を整流化して室外に導き出すことが容易となる。
【００１３】
また、排気用ダクトに連通される排気口を階段又は廊下に設けることによって、排出用
ダクトを階段下まで伸ばすだけでよくなるため、ダクトの長さをさらに短くすることがで
き、コストの低減を図り、メンテナンス性の向上を図ることが容易となる。
【００１４】
さらに、前記空気供給装置を、住宅の床下に設けることによって住宅内の居住スペース
をより広く確保することが容易になるとともに、空気供給装置の駆動音が居住スペースに
伝わりにくくなるので、居住スペースの静音化を図ることが容易となる。
【発明を実施するための最良の形態】
【００１５】
以下、本発明に係る住宅換気構造を、図面を用いて説明する。図１は、本発明に係る住
宅換気構造を備えた住宅を示した概略構成図である。住宅換気構造１０は、外気を導入し
て屋内に供給するとともに屋内の空気を吸入して屋外に排出するための熱交換機能を備え
る空気供給装置１１と、空気供給装置１１から室内に外気を導き入れるための給気用ダク
ト１２と、室内の空気を室外へ排出するための排気用ダクト１３とを備えている。また、
住宅換気構造１０は、屋外から空気を吸入するための吸入ダクト３１と、屋外へ空気を排
出するための排出ダクト３２とを備えている。
【００１６】
空気供給装置１１は、建物の床下部に配設されている。空気供給装置１１の給気用ダク
ト１２は、壁内面及び床下部を通って室内の壁下部に設けられたガラリ１４（給気口）へ
と通じている。ガラリ１４は、図２に示すように、ドア１５のヒンジ１９近傍（回動軸近
傍）の壁下部に設けられている。ガラリ１４は、ドア１５を開放したときにドアの室内側
面１５ａが壁面を覆う位置に設置されるため、一般的に家具等を設置することが困難なス
ペースであり、ガラリ１４の設置によって家具の配置自由度が制限される部分ではない。
【００１７】
給気用ダクト１２を介して屋内に導かれる外気は、図３（ａ）に示すように、壁下部に
設置されたガラリ１４を介して室内に送り込まれる。ガラリ１４は、図３（ｂ）に示すよ
うに、清流用の羽根板１６を複数枚備えた枠部材１７である。枠部材１７は、横幅Ｌが１
００ｍｍ〜４００ｍｍ、高さＨが１００ｍｍ〜３００ｍｍの大きさを有しており、各羽根
板１６は、２０ｍｍ〜７０ｍｍの間隔を均等に保ちつつ、枠部材１７に回動可能に取り付
けられている。羽根板１６の設置角度を変えることによって、室内に供給される外気の流
入方向（流入角度）を変更することが可能となっている。
【００１８】
また、ドア１５の上部には供給された外気を室外に逃がすための間隙１８（通気部）が
形成されている。具体的に、ドア用開口に設けられる枠材（戸当り）２０の四角にスペー
サー（突起部）２０ａ、２０ｂが設けられており、図４に示すように、ドア閉塞時に枠材
２０に形成されるスペーサー２０ａ、２０ｂがドア１５に当接することによって、ドア上
部のドア１５と枠材２０との間に間隙１８が形成され、この間隙１８を通って室内の空気
が室外、例えば廊下等に流れ出る構造となっている。なお、ドア１５の最下部には床面２
１とドア下面１５ｂとの隙間の塞ぐ気密部材２２が設置されている。気密部材２２は、ド
ア下部に形成された収納空間２３に昇降可能に設置されており、ドア閉塞時には気密部材
２２が降下して、床面２１とドア下面１５ｂとの隙間を塞ぐ役割を有している。
【００１９】
図１に示すように、ガラリ１４を介して外気が室内に供給されと、外気は壁下部から略
水平方向に送出されて、室内壁面に沿って上昇する空気の流れを発生させる（図１の鎖線
矢印参照）。上昇して天井面を廻る空気の流れは、ドア１５の上部に形成された間隙１８
から廊下に抜け出る。なお、ドア下部に設置される気密部材２２によって、壁下部より供
給された外気が室内を循環することなくドア下面１５ｂと床面２１との隙間から室外に排
出されることは防止される。
【００２０】
空気供給装置１１の排気用ダクト１３は、図１に示すように、階段下に設けられるガラ
リ（排気口）２４に繋がっている。ドア上部の間隙１８より廊下に流れ出た空気は、階段
を通って階段下のガラリ２４より排気用ダクト１３を介して空気供給装置１１へ循環され
る。空気供給装置１１は、吸入した空気と室内に供給される外気との熱変換を行った後に
、吸入した空気を屋外に排出する。
【００２１】
上述した住宅用換気構造１０を用いることによって、壁下部に設置されたガラリ１４に
より家具等の配置の自由度を低減させることがなく、さらにガラリ１４の羽根板１６を調
整することによって、屋内に供給される外気の供給気流による不快感を居住者等に当たえ
ることを避けることができる。
【００２２】
また、ドア上部に間隙１８が形成されているので壁下部より供給された外気の換気流路
を整流化して室外に導き出すことができる。さらに、給気用ダクト１２を天井まで導く必
要がなく、排出用ダクト１３を階段下まで伸ばすだけでよいので、ダクト１２、１３の長
さを極めて短くすることができ、コストの低減を図り、メンテナンス性の向上を図ること
が容易となる。
【００２３】
また、  建物の床下部に空気供給装置１１を配設することによって、住宅内の居住スペ
ースをより広く確保することが容易になるとともに、空気供給装置１１の駆動音が居住ス
ペースに伝わりにくくなるので、居住スペースの静音化を図ることが容易となる。
【００２４】
以上、図面を用いて、本発明に係る住宅換気構造について説明を行ったが、住宅換気構
造は上述したものに限定されるものではない。例えば、図５に示すように、給気用ダクト
１２に連通するガラリ１４を、ドア１５のヒンジ１９近傍（回動軸近傍）の床面端部に設
けてもよい。この位置にガラリ１４を設ける場合であっても、家具等の配置の自由度を低
減させることがなく、さらにガラリ１４の羽根板１６の回動角度調整を行うことによって
供給気流による不快感を居住者等に当たえることを避けることができる。
【００２５】
また、図６に示すように、床下部分における給気用ダクト１２の配設を省略する構造と
してもよい。このように床下部分の給気用ダクト１２を省略することによって、ダクト１
２の長さをさらに短くし、コストの低減とメンテナンス性の向上をさらに図ることが容易
となる。
【００２６】
また、実施の形態においては、ドア閉塞時にドア１５の端部が当接するスペーサー２０
ａ、２０ｂを枠材２０に設けることによって、ドア上部の間隙１８を形成する構造となっ
ているが、必ずしもこのような構造によって間隙１８を形成する必要はない。空気供給装
置１１により室内に供給された空気を廊下等へ導き出すための間隙・連通孔等（通気部）
が形成される構造であればどのような構成であってもよく、例えば、ドア１５の上方の壁
に廊下に連通するガラリ等を設置する構造としてもよい。
【図面の簡単な説明】
【００２７】
【図１】本発明に係る住宅換気構造を備えた住宅を示す概略構成図である。
【図２】壁下部にガラリが設置された室内を示す斜視図である。
【図３】壁下部に設置されるガラリを示した図であり、（ａ）は断面図を示し、（ｂ）は正面図を示している。
【図４】上部に間隙が形成されたドアを示した断面図である。
【図５】床面にガラリが設置された室内を示す斜視図である。
【図６】本発明に係る住宅換気構造を備えた住宅を示す他の概略構成図である。
【符号の説明】
【００２８】
１、１０  住宅換気構造
２、１１  空気供給装置
３、１２  給気用ダクト
４、１３  排出用ダクト
１４  ガラリ（給気口）
１９  ヒンジ
２４  ガラリ（排気口）
１５  ドア
１８  間隙（通気部）
【図１】
2006002964.tif 000003
【図２】
2006002964.tif 000004
【図３】
2006002964.tif 000005
【図４】
2006002964.tif 000006
【図５】
2006002964.tif 000007
【図６】
2006002964.tif 000008